(57)【要約】【課題】光ディスクを収納したディスクカートリッジを装着し光ディスクにデータを記録する記録再生装置において、長時間ディスクカートリッジを装着したままの状態でも正確にデータを記録することができる記録再生装置を提供する。【解決手段】ディスクカートリッジの挿入に連動してシャッターを開閉するシャッター開閉手段と、光ディスクを保持するターンテーブルと、ターンテーブルを回転させるモータと、光ディスクにデータを記録し再生する記録再生手段と、時間情報を出力する時間出力手段と、モータが回転していないことを検出する検出手段と、モータの回転制御および記録再生手段の制御をする制御手段とを備え、制御手段は、時間出力手段が出力する時間情報と検出手段の検出結果からモータが予め定めた時間回転していないと判別した場合、光ディスクのシャッターから露出している部分が重複しない予め定めた角度だけ前記モータを回動させる制御をする。【選択図】      図５
2004227665.tif 000002
【特許請求の範囲】
【請求項１】
光ディスクを収納し開閉するシャッターを備えたディスクカートリッジを着脱可能な記録再生装置において、
ディスクカートリッジの挿入に連動してシャッターを開きディスクカートリッジの排出に連動してシャッターを閉じるシャッター開閉手段と、光ディスクの中心孔を保持するターンテーブルと、前記ターンテーブルを回転させるモータと、光ディスクにデータを記録しまたは光ディスクに記録されているデータを再生する記録再生手段と、時間情報を出力する時間出力手段と、前記モータが回転していないことを検出する検出手段と、前記モータの回転制御および前記記録再生手段の制御をする制御手段とを備え、
前記制御手段は、前記時間出力手段が出力する時間情報と前記検出手段の検出結果から前記モータが予め定めた時間回転していないと判別した場合、光ディスクのシャッターから露出している部分が重複しない予め定めた角度だけ前記モータを回動させる制御をすることを特徴とする記録再生装置。
【発明の詳細な説明】
【０００１】
【発明の属する技術分野】
本発明は、ディスクカートリッジに収納された光ディスクの記録または再生を行う記録再生装置に関する。
【０００２】
【従来の技術】
従来、電話回線を介して送受信される通話情報を記録及び再生する記録再生装置が知られている。従来の記録再生装置は、ハードディスクドライブ（Ｈａｒｄ  Ｄｉｓｋ  Ｄｒｉｖｅ）（以下、ＨＤＤという。）から成る主記録部とデジタルオーディオテープ（Ｄｉｇｉｔａｌ  Ａｕｄｉｏ  Ｔａｐｅ）（以下、ＤＡＴという。）を着脱可能なＤＡＴドライブから成る保存用記録部を備える（例えば、特許文献１参照。）。
図６は、従来の記録再生装置を示すブロック図である。
記録再生装置１００は、着信検出部２、音声処理部３、音声出力部４、主記録部６、保存用記録部７、操作・表示部９、時計部１０及び制御部５００を備える。
【０００３】
着信検出部２は、電話回線に接続された発信元の電話機から送信されるデュアルトーンマルチフリクエンシー（Ｄｕａｌ  Ｔｏｎｅ  Ｍｕｌｔｉ  Ｆｒｅｑｕｅｎｃｙ）（以下、ＤＴＭＦという。）コードを受信し、電話回線が接続されたことを検出し、検出信号を制御部５００へ出力する。ＤＴＭＦコードには、着信元の電話番号等の情報が含まれる。そのため、ＤＴＭＦコードを通話情報と共に主記録部７に記録した場合、ＤＴＭＦコードを用いて通話情報を検索することができる。
【０００４】
音声処理部３は、電話回線から入力される音声信号を圧縮し、音声データに変換する。また、音声処理部３は、主記録部７に記録された音声データを伸張し音声出力部４に出力する。音声出力部４は、伸張された音声データをアナログ音声信号に変換し出力する。
【０００５】
制御部５００は、着信検出部２から検出信号が入力されると、主記録部６に音声データをＤＴＭＦコードと共に記録させる制御をする。主記録部６はＨＤＤから成り、制御部５００の制御により音声処理部３が変換した音声データをＤＴＭＦコードと共にハードディスク（Ｈａｒｄ  Ｄｉｓｋ）（以下、ＨＤという。）に記録する。時計部１０は、水晶発振回路を備え、当該水晶発振回路から予め定めた間隔のパルス信号を出力する。
【０００６】
保存用記録部７は、ＤＡＴドライブから成り、制御部５００の制御により音声データをＤＡＴに記録する。制御部５００は、時計部１０が出力するパルス信号に基づいて、予め定めた時間毎、例えば、２４時間毎に主記録部６のＨＤに記録された音声データを保存用記録部７のＤＡＴにバックアップするよう主記憶部７及び保存用記録部７を制御する。保存用記録部７で通話情報をバックアップしたＤＡＴは、保存用記録部７から取り出されて保管される。
【０００７】
操作・表示部９は、主記録部６の通話情報を保存用記録部７にバックアップする指示信号を出力する。また、操作・表示部９は、主記録部６及び保存用記録部７に記録した通話情報を再生することを指示する指示信号を出力する。操作・表示部９は、記録再生装置１００の動作状態を表示する表示部を備える。
【０００８】
制御部５００は、操作・表示部９から出力される指示信号に応じて主記録部６のＨＤに記録された音声データを保存用記録部７のＤＡＴにバックアップしたり、主記録部６のＨＤ及び保存用記録部７のＤＡＴに記録した音声データを再生するよう音声処理部３、音声出力部４、主記録部６及び保存用記録部７を制御する。
【０００９】
従来の記録再生装置１００は、主記録部６に高速でランダムアクセス可能なＨＤＤを用いることによって、主記録部６のＨＤに記録された音声データの中から希望する音声データを即座に検索し再生することができる。しかしながら、ＨＤは、通話情報を記録できる容量が限られているため、２４時間毎に主記録部６に記録した通話情報を保存用記録部７によってＤＡＴへバックアップし、主記録部６のＨＤに記録されている音声データの内、ＤＡＴへ保存した音声データを消去して新たに記録可能な容量を確保することによって、主記録部６が常に新しい通話情報を記録することができるようにする構成となっている。
【００１０】
従来の記録再生装置の第２の記録部として用いられているＤＡＴドライブは、テープ媒体であるＤＡＴに音声データを記録するため、ＨＤＤと比較してＤＡＴに記録された通話情報の中から希望する音声データを検索し再生するまでに長い時間を要してしまう。このため、保存用記録部７としてＤＡＴドライブを用いる替わりに、光磁気ディスクから成るディスクに通話情報を記録するＭＯ（Ｍａｇｎｅｔｏ  Ｏｐｔｉｃａｌ  ｄｉｓｋ）を記録媒体とするＭＯドライブ等の光ディスクドライブを用いることによって、従来のＤＡＴドライブと比較して記録された通話情報を迅速に検索し再生することができる。
【００１１】
従来の光ディスクドライブは、着脱可能なディスクカートリッジに通話情報等の音声データを記録し、また、ディスクカートリッジに記録されている音声データを再生する（例えば、特許文献２参照。）。
【００１２】
図７は、従来のディスクカートリッジと光ディスクドライブを示す図である。
ディスクカートリッジ２０は、ディスク２１、ケース部２２及びシャッター２３を備える。ディスク２１は光磁気ディスクから成り、略中央に中心孔２１１を備え、ケース部２２の内部に収納されている。ケース部２２は、上面及び下面のそれぞれに孔２２２及び孔２２３を備え、それぞれの孔からディスク２１の表面が外部に露出する。ケース部２２は、一端に上面から側面を介して下面に亘って凹部２２１を備える。シャッター２３は、コの字型を形成し、凹部２２１をスライド可能にケース部２２に保持される。
【００１３】
光ディスクドライブは、筐体１５の前面にディスクカートリッジ２０を矢印Ｂ方向へ挿入可能な挿入口１６を備える。光ディスクドライブは、筐体１５の内部に光ピックアップ７０２、磁気ヘッド７０３、ヘッド駆動部７０４、ターンテーブル７０５、シャッター開閉部７０７、図示しないメカベース、カートリッジホルダー、スピンドルモータ及び制御部を備える。カートリッジホルダーは、挿入口１６から挿入されたディスクカートリッジ２０を保持する。シャッター開閉部７０７は、ディスクカートリッジ２０の挿入に連動して移動するレバーと、シャッター２３に係合する係合部を備えている。ディスクカートリッジ２０の矢印Ｂ方向への挿入に連動して、係合部が自動的にシャッター２３を矢印Ｃ方向へスライドさせディスクカートリッジ２０の孔２２２及び孔２２３を開口する。また、シャッター開閉部７０７は、ディスクカートリッジ２０の記録再生装置１００の外部への排出に連動してディスクカートリッジ２０のシャッター２３をスライドさせディスクカートリッジ２０の孔２２２及び孔２２３を閉じる。
【００１４】
ターンテーブル７０５は、ディスク２１の中心孔２１１を保持する。ターンテーブル７０５は、スピンドルモータが回転することによって、ディスク２１を回転させる。光ピックアップ７０２は、ディスク２１の孔２２３の下方となる位置に配置され、ケース部２２の孔２２３を介してディスク２１の下面へレーザ光を照射し、ディスク２１に記録されているデータを読み取る。制御部は、光ピックアップ７０２が読み取ったデータを再生するよう制御する。
【００１５】
磁気ヘッド７０３は、図示しないディスク当接部と当該当接部より上方の位置に磁界印加部を備え、それぞれヘッド駆動部７０４に固定されている。磁気ヘッド７０３は、ヘッド駆動部７０４により駆動され、ケース部２２の孔２２２を介して、当接部がディスク２１の上面に当接し、磁界印加部がディスク２１へＮＳ極の磁界を与える。制御部は、光ピックアップ７０２のフォーカス制御、トラッキング制御及びレーザの出力制御を行う。制御部は、ディスク２１にデータを記録するよう光ピックアップ７０２及び磁気ヘッド７０３を制御する。磁気ヘッド７０３の磁気印加部は、制御部の制御により、ディスク２１へ磁界を与える。光ピックアップ７０２は、制御部の制御により、磁気ヘッド７０３が磁界を与えている状態でディスク２１へレーザを照射し、ディスク２１の磁化膜を一定温度以上とすることで磁化膜の磁化の方向を反転させ、データを記録する。
【００１６】
この構成により、従来の光ディスクドライブは、ディスクカートリッジ２０内部のディスク２１にデータを記録し、また、ディスク２１に記録されているデータを読み取り再生を行う。
【００１７】
以上により、従来の記録再生装置１００の保存用記録部７としてＤＡＴドライブを用いる替わりに、光ディスクドライブを用いることによって、従来のＤＡＴドライブと比較して記録した音声データを迅速に検索し再生することができる。
【００１８】
【特許文献１】
特開２００１−１２７８７７号公報
【００１９】
【特許文献２】
特開平５−２５０７８７号公報
【００２０】
【発明が解決しようとする課題】
従来の光ディスクドライブは、ディスクカートリッジ２０を挿入すると、ディスクカートリッジ２０のシャッター２３を開きディスク２１の表面の一部が孔２２２から露出した状態となる。
【００２１】
従来の光ディスクドライブを記録再生装置１００の保存用記録部７として用いた場合、光ディスクドライブは、ディスク２１を挿入した状態のままで２４時間毎に主記録部６に記録された音声データのバックアップを行う。光ディスクドライブは、前述したバックアップの動作をしないときはディスク２１を挿入した状態でディスク２１の回転を停止している。ディスク２１の回転が停止している時、ディスク表面の一部が孔２２２から露出したままとなる。このため、空中に浮遊している埃が、この間にディスクカートリッジ２０の孔２２２から侵入しディスク２１の上面の一部分に付着する。
【００２２】
孔２２２から侵入した埃がディスク２１の上面の一部分に付着した状態で、主記録部６に記録した音声データを保存用記録部７のディスク２１にバックアップするために磁気ヘッド７０３によってディスク２１へ磁界を与える場合、ディスク２１の埃が付着した一部分では、付着した埃へ磁気ヘッド７０３の当接部が乗り上げた状態となる。これにより、埃が付着していないディスク２１の上面部分と比較して磁気ヘッド７０３の磁界印加部とディスク２１の上面との距離が大きくなるため、ディスク２１へ与える磁界強度が小さくなる。ディスク２１の上面の一部分に付着した埃により磁界印加部とディスク２１との距離が一定以上大きくなると、ディスク２１の磁化膜の磁化方向を反転することができなくなり、光ピックアップ７０２がレーザを照射しても正確に音楽データをディスク２１へ記録することができなくなる。
【００２３】
主記録部６に記録された音声データを保存用記録部７によりバックアップすることができなくなると、主記録部６の記憶容量が飽和していまい、新たな音声データを主記録部６に記録することができなくなる虞がある。この場合、保存用記録部７に装着したディスクカートリッジ２０を新たなディスクカートリッジに交換すれば良い。しかしながら、夜間等に無人で記録再生装置１００を運用している場合等は、ディスクカートリッジを交換することができない。
【００２４】
本発明は、光ディスクを収納したディスクカートリッジを装着し当該光ディスクにデータを記録する記録再生装置において、長時間ディスクカートリッジを装着したままの状態でも正確にデータを記録することができる記録再生装置を提供することを目的とする。
【００２５】
【課題を解決するための手段】
本願の請求項１記載の発明は、光ディスクを収納し開閉するシャッターを備えたディスクカートリッジを着脱可能な記録再生装置において、ディスクカートリッジの挿入に連動してシャッターを開きディスクカートリッジの排出に連動してシャッターを閉じるシャッター開閉手段と、光ディスクの中心孔を保持するターンテーブルと、前記ターンテーブルを回転させるモータと、光ディスクにデータを記録しまたは光ディスクに記録されているデータを再生する記録再生手段と、時間情報を出力する時間出力手段と、前記モータが回転していないことを検出する検出手段と、前記モータの回転制御および前記記録再生手段の制御をする制御手段とを備え、前記制御手段は、前記時間出力手段が出力する時間情報と前記検出手段の検出結果から前記モータが予め定めた時間回転していないと判別した場合、光ディスクのシャッターから露出している部分が重複しない予め定めた角度だけ前記モータを回動させる制御をすることを特徴とする。
【００２６】
【発明の実施の形態】
本発明の実施の形態を図面を参照して説明する。なお、従来技術で示した構成要素と同一の部分については同符号を用いる。
【００２７】
図１は、本発明の記録再生装置の一実施例の外観を示す斜視図である。
図２は、本発明の記録再生装置の一実施例の構成を示すブロック図である。
【００２８】
記録再生装置１は、筐体１５の前面に挿入口１６及び操作・表示部９を備え、筐体１５の内部に保存用記録部７を備える。
記録再生装置１は、着信検出部２、音声処理部３、音声出力部４、制御部５、主記録部６、保存用記録部７、検出部８、操作・表示部９及び時計部１０を備える。
【００２９】
着信検出部２は、電話回線に接続された発信元の電話機から送信されるＤＴＭＦコードを受信し、電話回線が接続されたことを検出し、検出信号を制御部５へ出力する。ＤＴＭＦコードには、着信元の電話番号等の情報が含まれる。そのため、ＤＴＭＦコードを通話情報と共に主記録部７に記録した場合、ＤＴＭＦコードを用いて通話情報を検索することができる。
【００３０】
音声処理部３は、電話回線から入力される音声信号を圧縮し、音声データに変換する。また、音声処理部３は、主記録部７に記録された音声データを伸張し音声出力部４に出力する。音声出力部４は、伸張された音声データをアナログ音声信号に変換し出力する。
【００３１】
制御部５は、着信検出部２から検出信号が入力されると、主記録部６に音声データを記録させる制御をする。主記録部６はＨＤＤから成り、制御部５の制御により音声処理部３が変換した音声データをＤＴＭＦコードと共にＨＤに記録する。時計部１０は、水晶発振回路を備え、当該水晶発振回路から予め定めた間隔のパルス信号を出力する。
【００３２】
保存用記録部７は、制御部５の制御により、音声データをディスクカートリッジ２０に記録する。ディスクカートリッジ２０の構成については、後述する。制御部５は、時計部１０が出力する時間情報に基づいて、予め定めた時間毎、例えば、２４時間毎に主記録部６に記録された音声データを保存用記録部７に装着されたディスクカートリッジ２０にバックアップするよう主記録部６及び保存用記録部７を制御する。
【００３３】
操作・表示部９は、主記録部６に記録された音声データを保存用記録部７にバックアップする指示信号を出力する。また、操作・表示部９は、主記録部６及び保存用記録部７に記録した音声データを再生するよう指示する指示信号を出力する。操作・表示部９は、記録再生装置１の動作状態を表示する表示部を備える。
【００３４】
制御部５は、操作・表示部９から出力される指示信号に応じて主記録部６に記録した音声データを保存用記録部７にバックアップしたり、主記録部６及び保存用記録部７に記録した音声データを再生するよう音声処理部３、音声出力部４、主記録部６及び保存用記録部７を制御する。
【００３５】
図３は、ディスクカートリッジ２０の構成を示す図で、図３（ａ）は上面図、図３（ｂ）は下面図、（ｃ）は図３（ａ）の状態からシャッター２３をスライドした状態を示す図、（ｄ）は図３（ｃ）の下面図である。
【００３６】
ディスクカートリッジ２０は、ディスク２１、ケース部２２及びシャッター２３を備える。ディスク２１は光磁気ディスクから成り、略中央に中心孔２１１を備え、ケース部２２の内部に収納されている。ケース部２２は、上面及び下面のそれぞれに貫通する孔２２２及び孔２２３を備える。ケース部２２は、一端に上面から側面を介して下面に亘って凹部２２１を備える。シャッター２３は、コの字型を形成し、凹部２２１を矢印Ｃ方向及びＤ方向へスライド可能にケース部２２に保持される。ディスクカートリッジ２０は、シャッター２３を矢印Ｃ方向へスライドさせるとケース部２２の孔２２２及び孔２２３が開口した状態となり、図３（ｃ）及び図３（ｄ）に示すように、孔２２２及び孔２２３からディスク２１の表面の一部が露出する。
【００３７】
図４は、本発明の一実施例である記録再生装置１の保存用記録部７を示す図であり、図４（ａ）はディスクカートリッジ２０を挿入した状態を示す上面図、図４（ｂ）は図４（ａ）の側面図である。
【００３８】
保存用記録部７は、メカベース７０１、光ピックアップ７０２、磁気ヘッド７０３、ヘッド駆動部７０４、ターンテーブル７０５、スピンドルモータ７０６、シャッター開閉部７０７、図示しないカートリッジホルダー及び制御部を備える。メカベース７０１は、光ピックアップ７０２、ヘッド駆動部７０４、スピンドルモータ７０６及びシャッター開閉部７０７を保持する。
【００３９】
カートリッジホルダーは、挿入口１６から挿入されたディスクカートリッジ２０を保持する。シャッター開閉部７０７は、ディスクカートリッジ２０の挿入に連動して移動するレバーと、シャッター２３に係合する係合部を備え、ディスクカートリッジ２０の矢印Ｂ方向への挿入に連動して、係合部がシャッター２３を矢印Ｃ方向へスライドさせディスクカートリッジ２０の孔２２２及び孔２２３を開口する。また、シャッター開閉部７０７は、ディスクカートリッジ２０の排出に連動してディスクカートリッジ２０のシャッター２３をスライドさせディスクカートリッジ２０の孔２２２及び孔２２３を閉じる。
【００４０】
スピンドルモータ７０６は、制御部の制御によりシャフトに固定されたターンテーブル７０５を回転させる。ターンテーブル７０５は、ディスク２１の中心孔２１１を保持し、ディスク２１を回転させる。光ピックアップ７０２は、ケース部２２の孔２２３の下方に配置され、孔２２３を介してディスク２１へレーザ光を照射し、ディスク２１に記録されている音声データを読み取る。また、光ピックアップ７０２は、制御部の制御により、ディスク２１へ音声データを記録するためのレーザ光を照射する。制御部は、光ピックアップ７０２が読み取った音声データを再生するよう制御する。磁気ヘッド７０３は、ヘッド駆動部７０４により駆動され、ケース部２２の孔２２２を介してディスク２１の上面へＮＳ極の磁界を与える。制御部は、光ピックアップ７０２のフォーカス制御、トラッキング制御及びレーザの出力制御を行う。また、制御部は、磁気ヘッド７０３からの磁界と光ピックアップ７０２からのレーザによりディスク２１に音声データを記録するよう制御する。
【００４１】
図２に示す検出部８は、ディスクカートリッジ２０の挿入に連動して移動し、ディスクカートリッジ２０の排出に連動して元の位置に戻る図示しないスライドスイッチを備える。検出部８は、このスライドスイッチにより、保存用記録部７にディスクカートリッジ２０が装着されているか否かを検出する。検出部８は、スピンドルモータ７０６に電力が供給されているか否かを検出する電力検出部８ａを備える。検出部８は、この電力検出部８ａにより、スピンドルモータ７０６に電力が供給され回転しているか否かを検出する。
【００４２】
図２に示す制御部５は、時計部１０から出力される時間情報に基づいて、検出部８によって検出されたディスクカートリッジ２０が挿入されている状態でスピンドルモータ７０６が回転していない時間が予め定めた時間、例えば、４時間経過したと判断した場合、スピンドルモータ７０６を予め定めた角度だけ回転させるよう保存用記録部７を制御する。
【００４３】
図５は、本発明の一実施例である記録再生装置１の保存用記録部７を示す図で、図５（ａ）はディスクカートリッジ２０を挿入した状態を示す上面図、図５（ｂ）は図５（ａ）の状態から４時間が経過した後の状態を示す上面図である。
【００４４】
図５（ａ）に示すように、シャッター２３がシャッター開閉部７０７によって開口された状態で、孔２２２からディスク２１の表面の一部が露出している部分を範囲Ｅで示す。
【００４５】
制御部５は、時計部１０から出力される時間情報に基づいて、図５（ａ）の状態からディスクカートリッジ２０のディスクが回転していない時間が４時間経過したと判断すると、スピンドルモータ７０６を予め定めた角度回転するよう制御する。スピンドルモータ７０６が回転することによってターンテーブル７０５に保持されたディスク２１が図５（ｂ）に示すように、矢印Ａ方向へ回転する。すると、ディスク２１の範囲Ｅが孔２２２から露出しなくなり、範囲Ｅと異なる領域が孔２２２から露出する。
【００４６】
以上の構成によって、例えば、図５（ｂ）に示すように、制御部５の制御によりスピンドルモータ７０６が矢印Ａ方向へ回転する回転角度を６０度とし、主記録部６から保存用記録部７へ音声データを２４時間毎にバックアップするようにする。このことにより、ターンテーブル７０５が回転しない時間が４時間を経過する毎にディスク２１が６０度回転する。
【００４７】
これにより、孔２２２から露出したディスク２１の表面の一部分のみに埃が付着することを防止することができる。したがって、主記録部６に記録されている音声データを保存用記録部７がバックアップしようとした場合、ディスク２１の表面に付着した埃によって音声データをバックアップすることができなくなることを防止することができる。
【００４８】
【発明の効果】
本発明によれば、光ディスクを収納したディスクカートリッジを装着し当該光ディスクにデータを記録する記録再生装置において、長時間ディスクカートリッジを装着したままの状態でも正確にデータを記録することができる記録再生装置を提供することができる。
【図面の簡単な説明】
【図１】本発明の記録再生装置の一実施例の外観を示す斜視図。
【図２】本発明の記録再生装置の一実施例の構成を示すブロック図。
【図３】ディスクカートリッジ２０の構成を示す図。
【図４】本発明の一実施例である記録再生装置１の保存用記録部７を示す図。
【図５】本発明の一実施例である記録再生装置１の保存用記録部７のスピンドルモータ７０６を回転した状態を示す図。
【図６】従来の記録再生装置を示すブロック図。
【図７】従来のディスクカートリッジと光ディスクドライブを示す図。
【符号の説明】
１  記録再生装置、２  着信検出部、３  音声処理部、４  音声出力部、
５  制御部、６  主記録部、７  保存用記録部、７０１  メカベース、
７０２  光ピックアップ、７０３  磁気ヘッド、７０４  ヘッド駆動部、
７０５  ターンテーブル、７０６  スピンドルモータ、７０７  シャッター開閉部、
８  検出部、９  操作・表示部、１０  時計部、
１５  筐体、１６  挿入口、
２０  ディスクカートリッジ、２１  ディスク、２１１  中心孔、
２２  ケース部、２２１  凹部、２２２  孔、２２３  孔、
２３  シャッター、１００  記録再生装置、５００  制御部
【図１】
2004227665.tif 000003
【図２】
2004227665.tif 000004
【図３】
2004227665.tif 000005
【図４】
2004227665.tif 000006
【図５】
2004227665.tif 000007
【図６】
2004227665.tif 000008
【図７】
2004227665.tif 000009